(57)【要約】【課題】  壁厚が大きくならず、間柱の割付が自由で再調整が容易であり、良好な施工性および施工精度を有する下地構造体を提供する。【解決手段】  天井と床との中間の任意の高さのところで躯体に固定され、垂直部および複数の櫛歯が設けられた水平部をもつＬ形横断面の長尺部材によって形成される振れ止めランナー（２０）と、横幅Ｗの直方体形状の本体および振れ止めランナーの櫛歯と噛み合う櫛歯が設けられた取付部を有し、振れ止めランナーに嵌め込まれる振れ止めクリップ（２２）と、コの字形の横断面を有する長尺部材によって形成される間柱（２４）とを備え、間柱の横方向内側幅Ｗ0 が横幅Ｗと実質的に等しくなるように選定されており、間柱を所定箇所に設置し、間柱の垂直度を調整した後に振れ止めクリップを振れ止めランナーに嵌め込むことにより形成されることを特徴とする下地構造体（１０）が提供される。【選択図】  図１
2007315018.tif 000002
【特許請求の範囲】
【請求項１】
建築内装工事における片面壁用下地構造体であって、
天井と床との中間の任意の高さのところで躯体に固定され、垂直部および複数の櫛歯が設けられた水平部をもつＬ形横断面の長尺部材によって形成される振れ止めランナーと、
横幅Ｗの直方体形状の本体および前記振れ止めランナーの前記櫛歯と噛み合う櫛歯が設けられた取付部を有し、前記振れ止めランナーに嵌め込まれる振れ止めクリップと、
コの字形の横断面を有する長尺部材によって形成される間柱とを備え、前記間柱の横方向内側幅Ｗ0 が前記横幅Ｗと実質的に等しくなるように選定されており、
前記間柱を所定箇所に設置し、間柱の垂直度を調整した後に前記振れ止めクリップを前記振れ止めランナーに嵌め込むことにより形成されることを特徴とする下地構造体。
【請求項２】
建築内装工事における片面壁用下地構造体であって、
天井面に固定され、垂直部および水平部をもつ逆Ｌ形横断面の長尺部材によって形成される上部ランナーと、
横幅Ｗの直方体形状の本体および前記上部ランナーの前記垂直部と噛み合う溝が設けられた取付部を有し、前記上部ランナーに嵌め込まれる上部クリップと、
床面に固定され、垂直部および水平部をもつＬ形横断面の長尺部材によって形成される下部ランナーと、
横幅Ｗの直方体形状の本体および前記下部ランナーの前記垂直部と噛み合う溝が設けられた取付部を有し、前記下部ランナーに嵌め込まれる下部クリップと、
前記上部ランナーと前記下部ランナーとの中間の任意の高さのところで躯体に固定され、垂直部および複数の櫛歯が設けられた水平部をもつＬ形横断面の長尺部材によって形成される振れ止めランナーと、
横幅Ｗの直方体形状の本体および前記振れ止めランナーの前記櫛歯と噛み合う櫛歯が設けられた取付部を有し、前記振れ止めランナーに嵌め込まれる振れ止めクリップと、
コの字形の横断面を有する長尺部材によって形成される間柱とを備え、前記間柱の横方向内側幅Ｗ0 が前記横幅Ｗと実質的に等しくなるように選定されており、
前記上部クリップを嵌め込んだ前記上部ランナーを天井面に、下部ランナーを床面にそれぞれ堅固に固定し、前記上部ランナーと前記下部ランナーとの中間の躯体に振れ止めランナーを堅固に固定し、前記間柱の上端に前記上部クリップを嵌め込み、次いで、前記間柱の下端の下部クリップを前記下部ランナーに嵌め込み、前記間柱の垂直度を調整した後に前記振れ止めクリップを前記振れ止めランナーに嵌め込むことにより形成されることを特徴とする下地構造体。
【請求項３】
建築内装工事における片面壁用下地構造体であって、
天井と床との中間の任意の高さのところで躯体に固定され、垂直部および水平方向に延びた複数の細長い開口部が設けられた水平部をもつＬ形横断面の長尺部材によって形成される振れ止めランナーと、
横幅Ｗの直方体形状の本体および前記振れ止めランナーの前記開口部に嵌まり込む櫛歯が設けられた取付部を有し、前記振れ止めランナーに嵌め込まれる振れ止めクリップと、
コの字形の横断面を有する長尺部材によって形成される間柱とを備え、前記間柱の横方向内側幅Ｗ0 が前記横幅Ｗと実質的に等しくなるように選定されており、
前記間柱を所定箇所に設置し、間柱の垂直度を調整した後に前記振れ止めクリップを前記振れ止めランナーに嵌め込むことにより形成されることを特徴とする下地構造体。
【請求項４】
建築内装工事における片面壁用下地構造体であって、
天井面に固定され、水平部および水平方向に延びた円形横断面の突起が設けられた垂直部を有する逆Ｌ形横断面の長尺部材によって形成される上部ランナーと、
横幅Ｗの直方体形状の本体および前記上部ランナーの前記突起が嵌まり込む溝が設けられた取付部を有し、前記上部ランナーに嵌め込まれる上部クリップと、
床面に固定され、水平部および水平方向に延びた円形横断面の突起が設けられた垂直部を有するＬ形横断面の長尺部材によって形成される下部ランナーと、
横幅Ｗの直方体形状の本体および前記下部ランナーの前記突起が嵌まり込む溝が設けられた取付部を有し、前記下部ランナーに嵌め込まれる下部クリップと、
天井と床との中間の任意の高さのところで躯体に固定され、垂直部および水平方向に延びた複数の細長い開口部が設けられた水平部をもつＬ形横断面の長尺部材によって形成される振れ止めランナーと、
横幅Ｗの直方体形状の本体および前記振れ止めランナーの前記開口部に嵌まり込む櫛歯が設けられた取付部を有し、前記振れ止めランナーに嵌め込まれる振れ止めクリップと、
コの字形の横断面を有する長尺部材によって形成される間柱とを備え、前記間柱の横方向内側幅Ｗ0 が前記横幅Ｗと実質的に等しくなるように選定されており、
前記上部クリップを嵌め込んだ前記上部ランナーを天井面に、下部ランナーを床面にそれぞれ堅固に固定し、前記上部ランナーと前記下部ランナーとの中間の躯体に振れ止めランナーを堅固に固定し、前記間柱の上端に前記上部クリップを嵌め込み、次いで、前記間柱の下端の下部クリップを前記下部ランナーに嵌め込み、前記間柱の垂直度を調整した後に前記振れ止めクリップを前記振れ止めランナーに嵌め込むことにより形成されることを特徴とする下地構造体。
【発明の詳細な説明】
【技術分野】
【０００１】
本発明は一般に、建築内装工事における片面壁用下地構造体に関する。より詳細には、本発明は、良好な施工性を有する片面壁用下地構造体に関する。
【背景技術】
【０００２】
従来、建築内装工事において片面壁の下地を施工する方法としては、両面壁用の軽量鉄骨間仕切壁下地を片面壁用に転用する方法や、天井と床に配置した上下ランナー間に間柱を建て込み、垂直方向の数カ所で各間柱を接着剤又は締結具で最寄りの壁面に固定する方法（図１２参照）などがある。
【発明の開示】
【発明が解決しようとする課題】
【０００３】
しかしながら、前者の方法では、両面壁用の間仕切壁下地を使用するため、壁厚が大きくなるという課題があった。また、後者の方法では、各間柱において複数箇所で固定するため、手間がかかるうえ、不陸調整が容易でなく、再調整が不可能であり、間柱の割付が不自由であるという課題があった。このように、従来の片面壁の下地の施工においては、満足すべき方法が見当たらないのが実情であった。
【０００４】
本発明は、このような状況に鑑みて開発されたものであって、壁厚が大きくならず、不陸調整が容易で再調整も可能であり、間柱の割付も自由にでき、良好な施工性および施工精度を有する片面壁用下地構造体を提供することを目的としている。
【課題を解決するための手段】
【０００５】
本願請求項１に記載の片面壁用下地構造体は、天井と床との中間の任意の高さのところで躯体に固定され、垂直部および複数の櫛歯が設けられた水平部をもつＬ形横断面の長尺部材によって形成される振れ止めランナーと、横幅Ｗの直方体形状の本体および前記振れ止めランナーの前記櫛歯と噛み合う櫛歯が設けられた取付部を有し、前記振れ止めランナーに嵌め込まれる振れ止めクリップと、コの字形の横断面を有する長尺部材によって形成される間柱とを備え、前記間柱の横方向内側幅Ｗ0 が前記横幅Ｗと実質的に等しくなるように選定されており、前記間柱を所定箇所に設置し、間柱の垂直度を確認した後に前記振れ止めクリップを前記振れ止めランナーに嵌め込むことにより形成されることを特徴とするものである。
【０００６】
本願請求項２に記載の片面壁用下地構造体は、天井面に固定され、垂直部および水平部をもつ逆Ｌ形横断面の長尺部材によって形成される上部ランナーと、横幅Ｗの直方体形状の本体および前記上部ランナーの前記垂直部と噛み合う溝が設けられた取付部を有し、前記上部ランナーに嵌め込まれる上部クリップと、床面に固定され、垂直部および水平部をもつＬ形横断面の長尺部材によって形成される下部ランナーと、横幅Ｗの直方体形状の本体および前記下部ランナーの前記垂直部と噛み合う溝が設けられた取付部を有し、前記下部ランナーに嵌め込まれる下部クリップと、前記上部ランナーと前記下部ランナーとの中間の任意の高さのところで躯体に固定され、垂直部および複数の櫛歯が設けられた水平部をもつＬ形横断面の長尺部材によって形成される振れ止めランナーと、横幅Ｗの直方体形状の本体および前記振れ止めランナーの前記櫛歯と噛み合う櫛歯が設けられた取付部を有し、前記振れ止めランナーに嵌め込まれる振れ止めクリップと、コの字形の横断面を有する長尺部材によって形成される間柱とを備え、前記間柱の横方向内側幅Ｗ0 が前記横幅Ｗと実質的に等しくなるように選定されており、前記上部クリップを嵌め込んだ上部ランナーを天井面に、下部ランナーを床面にそれぞれ堅固に固定し、前記上部ランナーと前記下部ランナーとの中間の躯体に振れ止めランナーを堅固に固定し、前記間柱の上端に前記上部クリップを嵌め込み、次いで、前記間柱の下端の下部クリップを前記下部ランナーに嵌め込み、前記間柱の垂直度を調整した後に前記振れ止めクリップを前記振れ止めランナーに嵌め込むことにより形成されることを特徴とするものである。
【０００７】
本願請求項３に記載の片面壁用下地構造体は、天井と床との中間の任意の高さのところで躯体に固定され、垂直部および水平方向に延びた複数の細長い開口部が設けられた水平部をもつＬ形横断面の長尺部材によって形成される振れ止めランナーと、横幅Ｗの直方体形状の本体および前記振れ止めランナーの前記開口部に嵌まり込む櫛歯が設けられた取付部を有し、前記振れ止めランナーに嵌め込まれる振れ止めクリップと、コの字形の横断面を有する長尺部材によって形成される間柱とを備え、前記間柱の横方向内側幅Ｗ0 が前記横幅Ｗと実質的に等しくなるように選定されており、前記間柱を所定箇所に設置し、間柱の垂直度を調整した後に前記振れ止めクリップを前記振れ止めランナーに嵌め込むことにより形成されることを特徴とするものである。
【０００８】
本願請求項４に記載の片面壁用下地構造体は、天井面に固定され、水平部および水平方向に延びた円形横断面の突起が設けられた垂直部を有する逆Ｌ形横断面の長尺部材によって形成される上部ランナーと、横幅Ｗの直方体形状の本体および前記上部ランナーの前記突起が嵌まり込む溝が設けられた取付部を有し、前記上部ランナーに嵌め込まれる上部クリップと、床面に固定され、水平部および水平方向に延びた円形横断面の突起が設けられた垂直部を有するＬ形横断面の長尺部材によって形成される下部ランナーと、横幅Ｗの直方体形状の本体および前記下部ランナーの前記突起が嵌まり込む溝が設けられた取付部を有し、前記下部ランナーに嵌め込まれる下部クリップと、天井と床との中間の任意の高さのところで躯体に固定され、垂直部および水平方向に延びた複数の細長い開口部が設けられた水平部をもつＬ形横断面の長尺部材によって形成される振れ止めランナーと、横幅Ｗの直方体形状の本体および前記振れ止めランナーの前記開口部に嵌まり込む櫛歯が設けられた取付部を有し、前記振れ止めランナーに嵌め込まれる振れ止めクリップと、コの字形の横断面を有する長尺部材によって形成される間柱とを備え、前記間柱の横方向内側幅Ｗ0 が前記横幅Ｗと実質的に等しくなるように選定されており、前記上部クリップを嵌め込んだ前記上部ランナーを天井面に、下部ランナーを床面にそれぞれ堅固に固定し、前記上部ランナーと前記下部ランナーとの中間の躯体に振れ止めランナーを堅固に固定し、前記間柱の上端に前記上部クリップを嵌め込み、次いで、前記間柱の下端の下部クリップを前記下部ランナーに嵌め込み、前記間柱の垂直度を調整した後に前記振れ止めクリップを前記振れ止めランナーに嵌め込むことにより形成されることを特徴とするものである。
【発明の効果】
【０００９】
本発明の下地構造体によれば、片面壁専用のものであるので、壁厚が大きくなることはない。間柱を固定する際、上端、下端、及び中間箇所の３か所で嵌め込み作業を行えばよいので、手間がかからず、施工性が良い。さらに、間柱を左右に移動させることができるので、間柱の割付が自由であり、間柱の垂直度の調整や不陸調整が容易であり、建築物の層間変位にも対処することができる。
【発明を実施するための最良の形態】
【００１０】
次に図面を参照して、本発明の好ましい実施の形態に係る片面壁の下地構造体について詳細に説明する。図１は、本発明の第１の実施の形態に係る片面壁の下地構造体を模式的に示した分解斜視図である。図１において全体として参照符号１０で示される本発明の第１の実施の形態に係る片面壁の下地構造体は、天井面に固定される上部ランナー１２と、上部ランナー１２に嵌め込まれる上部クリップ１４とを備えている。
【００１１】
上部ランナー１２は、図３に示されるように、逆Ｌ形の横断面を有する長尺部材によって形成されている。より詳細に説明すると、上部ランナー１２は、垂直部１２ａと、垂直部１２ａと直交するように配置された水平部１２ｂとを有しており、水平部１２ｂをビス等で天井面に固定することにより、所定箇所に取り付けられるようになっている。なお、好ましくは、垂直部１２ａの壁面には、後述するように上部クリップ１４への嵌め込み時に上部クリップ１４が脱落しないように、突起１２ａ１が設けられている。
【００１２】
上部クリップ１４は、図４に示されるように、ほぼ直方体形状の本体１４ａを有している。本体１４ａは、横幅がＷとなるように形作られている。上部クリップ１４の本体１４ａの一方の長辺の側には、本体１４ａよりも小さな、ほぼ直方体形状の取付部１４ｂが配置されており、取付部１４ｂには、上部クリップ１４を上部ランナー１２に嵌め込んだときに上部ランナー１２の垂直部１２ａと噛み合う溝１４ｂ１が設けられている。なお、好ましくは、溝１４ｂ１には、垂直部１２ａの突起１２ａ１に係合する凹部１４ｂ２が形成されている。
【００１３】
片面壁の下地構造体１０は又、床面に固定される下部ランナー１６と、下部ランナー１６に嵌め込まれる下部クリップ１８とを備えている。
【００１４】
上部ランナー１２を上下逆にすることによって、下部ランナー１６になる。すなわち、下部ランナー１６は、垂直部および水平部からなるＬ形の横断面をもつ長尺部材によって形成されている。また、上部クリップ１４を上下逆にすることによって、下部クリップ１８になる。すなわち、下部クリップ１８は、横幅がＷのほぼ直方体形状の本体と、本体の一方の長辺の側に配置され、本体よりも小さな、ほぼ直方体形状に形作られた取付部とを有しており、下部ランナー１６への嵌め込み時に下部ランナー１６の垂直部と噛み合う溝が取付部に設けられている。好ましくは、溝に、垂直部の突起に係合する凹部が形成されている。
【００１５】
片面壁の下地構造体１０は又、上部ランナー１２と下部ランナー１６との中間の任意の高さのところで躯体に固定される振れ止めランナー２０と、振れ止めランナー２０に嵌め込まれる振れ止めクリップ２２とを備えている。
【００１６】
振れ止めランナー２０は、図５に示されるように、Ｌ形の横断面を有する長尺部材によって形成されている。より詳細に説明すると、振れ止めランナー２０は、垂直部２０ａと、垂直部２０ａと直交するように配置された水平部２０ｂとを有しており、垂直部２０ａをビス等で躯体に固定することにより、所定箇所に取り付けられるようになっている。水平部２０ｂには、垂直部２０ａの壁面と平行になるように垂直方向上方に延びた複数の櫛歯２０ｃが設けられている。
【００１７】
振れ止めクリップ２２は、図６に示されるように、ほぼ直方体形状の本体２２ａを有している。本体２２ａは、横幅がＷとなるように形作られている。振れ止めクリップ２２の本体２２ａの一方の長辺の側には、本体２２ａよりも小さな、ほぼ直方体形状の取付部２２ｂが配置されており、取付部２２ｂには、後述する間柱２４の取付け時に振れ止めランナー２０の櫛歯２０ｃと噛み合うように配置された複数の櫛歯２２ｃが設けられている。
【００１８】
片面壁の下地構造体１０は更に、間柱２４を備えている。間柱２４は、ほぼコの字形の横断面を有する長尺部材によって形成されている。間柱２４は、横方向の内側幅Ｗ0 （図１参照）が、上部クリップ１４、下部クリップ１８及び振れ止めクリップ２２の横幅Ｗと実質的に等しくなるように形作られている。
【００１９】
なお、上述の各構成部材（上部ランナー１２、上部クリップ１４、下部ランナー１６、下部クリップ１８、振れ止めランナー２０、振れ止めクリップ２２）は、合成樹脂材料などの適当な材料（溝への嵌め込みが容易であるように、弾力性のある材料が好ましい）で形成されている。
【００２０】
以上のように構成された下地構造体１０がどのように使用されるかについて説明する。まず最初に、下地構造体１０を設置しようとする箇所の天井面と床面に上部ランナー１２と下部ランナー１６をビスでそれぞれ堅固に固定する（図７（ａ）参照）。その際、上部クリップ１４を嵌め込んだ状態で上部ランナー１２を天井面に固定するのが好ましい。これは、高所に固定される上部ランナー１２に上部クリップ１４を嵌め込むには梯子や脚立などが必要となるので、作業性を考慮して予め上部クリップ１４を嵌め込んでおくのが望ましいからである。次いで、上部ランナー１２と下部ランナー１６との中間の躯体に振れ止めランナー２０をビスで堅固に固定する（図７（ｂ）参照）。一方、間柱２４の下端に下部クリップ１８を、間柱２４の中間に振れ止めクリップ２２を嵌め込む（図７（ｃ）参照）。次いで、間柱２４の上端を上部クリップ１４に嵌め込む（図７（ｄ）参照）。次いで、間柱２４の下端に嵌め込まれた下部クリップ１８を下部ランナー１６に嵌め込む（図７（ｅ）参照）。最後に、間柱２４が垂直になっているかを確認し、垂直度を調整した後、振れ止めクリップ２２を振れ止めランナー２０に嵌め込む（図７（ｆ）参照）。以上の作業を、各間柱２４について行う。このようにして形成された下地構造体１０に壁材（図示せず）を取り付ける。
【００２１】
なお、上部ランナー１２に嵌め込まれた上部クリップ１４を上部ランナー１２に沿って左右に移動させることが可能である。また、下部ランナー１６に嵌め込まれた下部クリップ１８を下部ランナー１６に沿って左右に移動させることも可能である。さらに、振れ止めランナー２０に嵌め込まれた振れ止めクリップ２２を振れ止めランナー２０に沿って左右に移動させることも可能もある。したがって、下地構造体１０では、間柱２４の割付を自由に変更することができる。
【００２２】
図８〜図１１は、本発明の第２の実施の形態に係る下地構造体に用いられる各部材を示した図である。すなわち、第８図は、本発明の第２の実施の形態に係る下地構造体の上部ランナー３２を示した図、第９図は、本発明の第２の実施の形態に係る下地構造体の上部クリップ３４を示した図、第１０図は、本発明の第２の実施の形態に係る下地構造体の振れ止めランナー４０を示した図、第１１図は、本発明の第２の実施の形態に係る下地構造体の振れ止めクリップ４２を示した図である。
【００２３】
上部ランナー３２は、垂直部の一方の面に円形横断面の突起が設けられている点を除いて、上部ランナー１２と実質的に同一の構成を有している。すなわち、上部ランナー３２は、垂直部３２ａおよび水平部３２ｂを有する逆Ｌ形の横断面の長尺部材によって形成されており、垂直部３２ａの水平部３２ｂが延びている側の面に、水平方向に延びた円形横断面の突起３２ｃが設けられている。なお、突起３２ｃは、図８（ａ）に示されるように、一定間隔で途切れている。
【００２４】
上部クリップ３４は、上部ランナー３２の突起３２ｃが嵌まり込む溝が設けられている点を除いて、上部クリップ１４と実質的に同一の構成を有している。すなわち、上部クリップ３４は、横幅がＷのほぼ直方体形状の本体３４ａと、本体３４ａの一方の長辺の側に配置された取付部３４ｂとを有し、取付部３４ｂには、上部クリップ３４を上部ランナー３２に嵌め込んだときに上部ランナー３２の突起３２ｃが嵌まり込む溝３４ｃが設けられている。
【００２５】
なお、本発明の第２の実施の形態に係る下部構造体においても、第１の実施の形態に係る下部構造体１０と同様に、上部ランナー３２を上下逆にすることによって、下部ランナーとして使用できる。また、上部クリップ３４も、下部クリップとして使用することができる。
【００２６】
振れ止めランナー４０は、水平部に複数の細長い開口部が設けられている点を除いて、振れ止めランナー２０と実質的に同一の構成を有している。すなわち、振れ止めランナー４０は、垂直部４０ａおよび水平部４０ｂを有するＬ形の横断面の長尺部材によって形成されており、水平部４０ｂに水平方向に延びた複数（図１０に示される例では、５個）の細長い開口部４０ｃが設けられている。なお、開口部４０ｃは、図１０（ａ）に示されるように、補強の目的のため、一定間隔で途切れている。
【００２７】
振れ止めクリップ４２は、振れ止めランナー４０の開口部４０ｃに嵌まり込む複数の櫛歯が設けられている点を除いて、振れ止めランナー２０と実質的に同一の構成を有している。すなわち、振れ止めクリップ４２は、横幅がＷのほぼ直方体形状の本体４２ａと、本体４２ａの一方の長辺の側に配置された取付部４２ｂとを有し、取付部４２ｂには、振れ止めクリップ４２を振れ止めランナー４０に嵌め込んだときに振れ止めランナー４０の開口部４０ｃに嵌まり込む櫛歯４２ｃが設けられている。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【００２９】
例えば、前記第１の実施の形態では、上部ランナー１２、上部クリップ１４、下部ランナー１６、下部クリップ１８、振れ止めランナー２０、及び振れ止めクリップ２２が使用されているが、間柱２４の上端及び下端を固定するのに、上部ランナー１２、上部クリップ１４、下部ランナー１６、及び下部クリップ１８以外の手段を用いて、下地構造体を形成してもよい。また、同様に、前記第２の実施の形態においても、間柱の上端及び下端を固定するのに、上部ランナー３２、上部クリップ３４、上部ランナー３２を上下逆にした下部ランナー、及び上部クリップ３４を上下逆にした下部クリップ以外の手段を用いて、下地構造体を形成してもよい。
【図面の簡単な説明】
【００３０】
【図１】本発明の第１の実施の形態に係る下地構造体を模式的に示した分解斜視図である。
【図２】図２（ａ）は図１の下地構造体の正面図、図２（ｂ）は図２（ａ）の線２ｂ−２ｂに沿って見た断面図である。
【図３】図３（ａ）は図１の下地構造体の上部ランナーの斜視図、図３（ｂ）は図１の下地構造体の上部ランナーの断面図である。
【図４】図４（ａ）は図１の下地構造体の上部クリップの斜視図、図４（ｂ）は図１の下地構造体の上部クリップの断面図である。
【図５】図５（ａ）は図１の下地構造体の振れ止めランナーの斜視図、図５（ｂ）は図１の下地構造体の振れ止めランナーの断面図である。
【図６】図６（ａ）は図１の下地構造体の振れ止めクリップの斜視図、図６（ｂ）は図１の下地構造体の振れ止めクリップの断面図である。
【図７】図１の下地構造体の使用手順を示した一連の図である。
【図８】図８（ａ）は本発明の第２の実施の形態に係る下地構造体の上部ランナーの斜視図、図８（ｂ）は図８（ａ）の上部ランナーの断面図である。
【図９】図９（ａ）は本発明の第２の実施の形態に係る下地構造体の上部クリップの斜視図、図９（ｂ）は図９（ａ）の上部クリップの断面図である。
【図１０】図１０（ａ）は本発明の第２の実施の形態に係る下地構造体の上部ランナーの斜視図、図１０（ｂ）は図１０（ａ）の上部ランナーの断面図である。
【図１１】図１１（ａ）は本発明の第２の実施の形態に係る下地構造体の振れ止めクリップの斜視図、図１１（ｂ）は図１１（ａ）の振れ止めクリップの断面図である。
【図１２】従来の下地構造体の一例を示した図である。
【符号の説明】
【００３１】
１０  下地構造体
１２、３２  上部ランナー
１４、３４  上部クリップ
１６  下部ランナー
１８  下部クリップ
２０、４０  振れ止めランナー
２２、４２  振れ止めクリップ
２４  間柱
【図１】
2007315018.tif 000003
【図２】
2007315018.tif 000004
【図３】
2007315018.tif 000005
【図４】
2007315018.tif 000006
【図５】
2007315018.tif 000007
【図６】
2007315018.tif 000008
【図７】
2007315018.tif 000009
【図８】
2007315018.tif 000010
【図９】
2007315018.tif 000011
【図１０】
2007315018.tif 000012
【図１１】
2007315018.tif 000013
【図１２】
2007315018.tif 000014